【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
端末と通信可能に接続される情報処理装置であって、
当該情報処理装置は、記憶部と情報処理装置制御手段を備え、
前記情報処理装置制御手段は、
ユーザに入力させる複数の項目のうち、１つの項目を前記端末に出力し、
前記端末から前記項目に対応する第１のユーザ入力情報を受信すると、前記記憶部に記憶させるとともに、当該第１のユーザ入力情報に対応する相槌を前記記憶部から読み出して前記端末に出力し、
前記第１のユーザ入力情報が記憶された項目について、前記端末から第２のユーザ入力情報を受信すると、前記記憶部に更新して記憶させるとともに、当該第２のユーザ入力情報に対応する相槌を前記記憶部から読み出して前記端末に出力することを特徴とする、情報処理装置。
【請求項２】
端末と通信可能に接続される情報処理装置であって、
当該情報処理装置は、記憶部と情報処理装置制御手段を備え、
前記情報処理装置制御手段は、
ユーザに入力させる複数の項目のうち、第１の項目を前記端末に出力し、
前記端末から前記第１の項目に対応する第１のユーザ入力情報を受信すると、前記記憶部に記憶させるとともに、当該第１のユーザ入力情報に対応して相槌が記憶されている場合には、当該相槌を前記記憶部から読み出して前記端末に出力し、
前記第１のユーザ入力情報を受信すると、あるいは前記相槌を出力すると、ユーザに入力させる複数の項目のうち、第２の項目を前記端末に出力し、
前記第１のユーザ入力情報が記憶された項目について、前記端末から第２のユーザ入力情報を受信すると、前記記憶部に更新して記憶させることを特徴とする、情報処理装置。
【請求項３】
端末と通信可能に接続される情報処理装置を用いた方法であって、
当該情報処理装置は、
ユーザに入力させる複数の項目のうち、１つの項目を前記端末に出力するステップと、
前記端末から前記項目に対応する第１のユーザ入力情報を受信すると、記憶部に記憶させるとともに、当該第１のユーザ入力情報に対応する相槌を前記記憶部から読み出して前記端末に出力するステップと、
前記第１のユーザ入力情報が記憶された項目について、前記端末から第２のユーザ入力情報を受信すると、前記記憶部に更新して記憶させるとともに、当該第２のユーザ入力情報に対応する相槌を前記記憶部から読み出して前記端末に出力するステップと、を有することを特徴とする、方法。
【請求項４】
端末と通信可能に接続される情報処理装置に、手順を実行させるプログラムであって、
当該情報処理装置に、
ユーザに入力させる複数の項目のうち、１つの項目を前記端末に出力させ、
前記端末から前記項目に対応する第１のユーザ入力情報を受信すると、記憶部に記憶させるとともに、当該第１のユーザ入力情報に対応する相槌を前記記憶部から読み出して前記端末に出力させ、
前記第１のユーザ入力情報が記憶された項目について、前記端末から第２のユーザ入力情報を受信すると、前記記憶部に更新して記憶させるとともに、当該第２のユーザ入力情報に対応する相槌を前記記憶部から読み出して前記端末に出力させることを特徴とする、プログラム。
【請求項５】
情報処理装置と通信可能に接続される端末上で動作するプログラムであって、
前記端末に、
ユーザに入力させる複数の項目のうち、１つの項目を表示させ、
前記項目に対応する第１のユーザ入力情報をユーザから受け付けると、当該第１のユーザ入力情報を前記情報処理装置に対し出力させるとともに、当該第１のユーザ入力情報に対応する相槌を前記情報処理装置から受信して表示させ、
前記第１のユーザ入力情報を受け付けた項目について、第２のユーザ入力情報をユーザから受け付けると、当該第２のユーザ入力情報を前記情報処理装置に対し出力して更新させるとともに、当該第２のユーザ入力情報に対応する相槌を前記情報処理装置から受信して表示させることを特徴とする、プログラム。
【請求項６】
情報処理装置と通信可能に接続される端末上で動作するプログラムであって、
前記端末に、
ユーザに入力させる複数の項目のうち、第１の項目を表示させ、
前記第１の項目に対応する第１のユーザ入力情報をユーザから受け付けると、当該第１のユーザ入力情報を前記情報処理装置に対し出力させるとともに、当該第１のユーザ入力情報に対応する相槌が前記情報処理装置に記憶されている場合には、当該相槌を前記情報処理装置から受信して表示させ、
前記第１のユーザ入力情報を前記情報処理装置に対し出力させると、あるいは前記相槌を表示させると、ユーザに入力させる複数の項目のうち、第２の項目を表示させ、
前記第１のユーザ入力情報を受け付けた項目について、第２のユーザ入力情報をユーザから受け付けると、当該第２のユーザ入力情報を前記情報処理装置に対し出力して更新させることを特徴とする、プログラム。
【手続補正２】
【補正対象書類名】明細書
【補正対象項目名】００１０
【補正方法】変更
【補正の内容】
【００１０】
請求項１の発明は、
端末と通信可能に接続される情報処理装置であって、
当該情報処理装置は、記憶部と情報処理装置制御手段を備え、
前記情報処理装置制御手段は、
ユーザに入力させる複数の項目のうち、１つの項目を前記端末に出力し、
前記端末から前記項目に対応する第１のユーザ入力情報を受信すると、前記記憶部に記憶させるとともに、当該第１のユーザ入力情報に対応する相槌を前記記憶部から読み出して前記端末に出力し、
前記第１のユーザ入力情報が記憶された項目について、前記端末から第２のユーザ入力情報を受信すると、前記記憶部に更新して記憶させるとともに、当該第２のユーザ入力情報に対応する相槌を前記記憶部から読み出して前記端末に出力する、情報処理装置とした。
【手続補正３】
【補正対象書類名】明細書
【補正対象項目名】００１１
【補正方法】変更
【補正の内容】
【００１１】
また、請求項２の発明は、
端末と通信可能に接続される情報処理装置であって、
当該情報処理装置は、記憶部と情報処理装置制御手段を備え、
前記情報処理装置制御手段は、
ユーザに入力させる複数の項目のうち、第１の項目を前記端末に出力し、
前記端末から前記第１の項目に対応する第１のユーザ入力情報を受信すると、前記記憶部に記憶させるとともに、当該第１のユーザ入力情報に対応して相槌が記憶されている場合には、当該相槌を前記記憶部から読み出して前記端末に出力し、
前記第１のユーザ入力情報を受信すると、あるいは前記相槌を出力すると、ユーザに入力させる複数の項目のうち、第２の項目を前記端末に出力し、
前記第１のユーザ入力情報が記憶された項目について、前記端末から第２のユーザ入力情報を受信すると、前記記憶部に更新して記憶させる、情報処理装置とした。
【手続補正４】
【補正対象書類名】明細書
【補正対象項目名】００１２
【補正方法】変更
【補正の内容】
【００１２】
また、請求項３の発明は、
端末と通信可能に接続される情報処理装置を用いた方法であって、
当該情報処理装置は、
ユーザに入力させる複数の項目のうち、１つの項目を前記端末に出力するステップと、
前記端末から前記項目に対応する第１のユーザ入力情報を受信すると、記憶部に記憶させるとともに、当該第１のユーザ入力情報に対応する相槌を前記記憶部から読み出して前記端末に出力するステップと、
前記第１のユーザ入力情報が記憶された項目について、前記端末から第２のユーザ入力情報を受信すると、前記記憶部に更新して記憶させるとともに、当該第２のユーザ入力情報に対応する相槌を前記記憶部から読み出して前記端末に出力するステップと、を有する、方法とした。
【手続補正５】
【補正対象書類名】明細書
【補正対象項目名】００１３
【補正方法】変更
【補正の内容】
【００１３】
また、請求項４の発明は、
端末と通信可能に接続される情報処理装置に、手順を実行させるプログラムであって、
当該情報処理装置に、
ユーザに入力させる複数の項目のうち、１つの項目を前記端末に出力させ、
前記端末から前記項目に対応する第１のユーザ入力情報を受信すると、記憶部に記憶させるとともに、当該第１のユーザ入力情報に対応する相槌を前記記憶部から読み出して前記端末に出力させ、
前記第１のユーザ入力情報が記憶された項目について、前記端末から第２のユーザ入力情報を受信すると、前記記憶部に更新して記憶させるとともに、当該第２のユーザ入力情報に対応する相槌を前記記憶部から読み出して前記端末に出力させる、プログラムとした。
また、請求項５の発明は、
情報処理装置と通信可能に接続される端末上で動作するプログラムであって、
前記端末に、
ユーザに入力させる複数の項目のうち、１つの項目を表示させ、
前記項目に対応する第１のユーザ入力情報をユーザから受け付けると、当該第１のユーザ入力情報を前記情報処理装置に対し出力させるとともに、当該第１のユーザ入力情報に対応する相槌を前記情報処理装置から受信して表示させ、
前記第１のユーザ入力情報を受け付けた項目について、第２のユーザ入力情報をユーザから受け付けると、当該第２のユーザ入力情報を前記情報処理装置に対し出力して更新させるとともに、当該第２のユーザ入力情報に対応する相槌を前記情報処理装置から受信して表示させる、プログラムとした。
また、請求項６の発明は、
情報処理装置と通信可能に接続される端末上で動作するプログラムであって、
前記端末に、
ユーザに入力させる複数の項目のうち、第１の項目を表示させ、
前記第１の項目に対応する第１のユーザ入力情報をユーザから受け付けると、当該第１のユーザ入力情報を前記情報処理装置に対し出力させるとともに、当該第１のユーザ入力情報に対応する相槌が前記情報処理装置に記憶されている場合には、当該相槌を前記情報処理装置から受信して表示させ、
前記第１のユーザ入力情報を前記情報処理装置に対し出力させると、あるいは前記相槌を表示させると、ユーザに入力させる複数の項目のうち、第２の項目を表示させ、
前記第１のユーザ入力情報を受け付けた項目について、第２のユーザ入力情報をユーザから受け付けると、当該第２のユーザ入力情報を前記情報処理装置に対し出力して更新させる、プログラムとした。